(57)【要約】【課題】放射線画像検出器において、切替え操作の簡易化を図りつつ、撮影待機モードにおける消費電力をさらに削減し、省電力化及び長寿命化を可能とする放射線画像検出器及び放射線画像検出システムを提供すること。【解決手段】照射された放射線を検出して放射線画像情報を取得する放射線画像検出器１において、外部機器と通信を行う通信部２８と、消費電力量の異なる複数の駆動モードを制御する状態制御部２９とを備え、状態制御部２９は、外部機器から送信される指示信号に基づき複数の駆動モードを制御する。【選択図】図１
2006208301.tif 000002
【特許請求の範囲】
【請求項１】
照射された放射線を検出して放射線画像情報を取得する放射線画像検出器において、
外部機器と通信を行う通信部と、消費電力量の異なる複数の駆動モードを制御する状態制御部とを備え、
前記状態制御部は、前記外部機器から送信される指示信号に基づき前記複数の駆動モードを制御することを特徴とする放射線画像検出器。
【請求項２】
前記外部機器が複数存在することを特徴とする請求項１に記載の放射線画像検出器。
【請求項３】
前記指示信号の同時受信時に、予め設定された前記外部機器からの前記指示信号を優先することを特徴とする請求項２に記載の放射線画像検出器。
【請求項４】
前記予め設定された外部機器がコンソールであることを特徴とする請求項３に記載の放射線画像検出器。
【請求項５】
前記予め設定された外部機器がホストコンピュータであることを特徴とする請求項３に記載の放射線画像検出器。
【請求項６】
前記駆動モードは、撮影モードと、前記撮影モードより消費電力量が少ない撮影待機モードであることを特徴とする請求項１から請求項５のいずれか一項に記載の放射線画像検出器。
【請求項７】
前記撮影待機モードは、消費電力量が異なる複数の待機モードを備えることを特徴とする請求項６に記載の放射線画像検出器。
【請求項８】
照射された放射線を検出して放射線画像情報を取得する放射線画像検出器と、指示信号を送信する外部機器とを備えた放射線画像検出システムにおいて、
前記放射線画像検出器は、前記外部機器と通信を行う通信部と、消費電力量の異なる複数の駆動モードを制御する状態制御部とを備えるとともに、
前記状態制御部は、前記通信部を介して前記外部機器から送信された指示信号に基づき、前記複数の駆動モードを制御することを特徴とする放射線画像検出システム。
【発明の詳細な説明】
【技術分野】
【０００１】
本発明は、放射線画像検出器及び放射線画像検出システムに係り、特に切替え操作の簡易化と省電力化と装置の長寿命化に対応可能な放射線画像検出器及び放射線画像検出システムに関する。
【背景技術】
【０００２】
従来より、医療診断にあっては、被写体にＸ線等の放射線を照射し、当該被写体を透過した放射線の強度分布を検出して得られた放射線画像が広く利用されており、近年では、撮影に際し放射線を検出して電気信号に変換し、放射線画像情報として蓄積するＦＰＤ（Flat Panel Detector）を用いた放射線撮影システムが提案されている。
【０００３】
この放射線撮影システムにあっては、システム構成の自由度を向上させる上で、撮影室に配設されたＦＰＤを所定の通信回線を介して画像処理を行うためのＰＣ（Personal Computer）等の所定のコンソールと接続して使用するように構成されたものが知られている（例えば、特許文献１参照）。
【０００４】
また、カセッテ型ＦＰＤとコンソールとが無線方式により放射線画像情報等の各種情報を通信可能に構成されたものも提案されている（例えば、特許文献２参照）。このカセッテ型ＦＰＤでは、ＦＰＤがカセッテに収容されており、ＦＰＤの運搬性・取り扱い性を向上させて、さらにシステム構成の自由度を向上させている。
【０００５】
カセッテ型ＦＰＤは、自由度の向上という点では、邪魔な配線を持たないことが特徴の一つとして挙げられる。その場合、カセッテ型ＦＰＤは、電力供給源として充電池を内蔵することになる。充電池が消耗して電源が切れると、充電を行ってから再び使用する構成になっている。
【０００６】
そのため、使用状況等により電源がすぐに切れてしまうと、１日に何度も充電を行わなければならず、非常に不便である。また、撮影しようと思ったときに電源が切れてしまうと、すぐに撮影が出来ないといった不都合が生じてしまう。あるいは、撮影中に電源が切れてしまうと再撮影を行わなければならなくなり、被写体に対し被爆に伴う危険が高まる可能性があり、軽量で長時間駆動できるカセッテ型ＦＰＤの開発が望まれていた。
【０００７】
そこで、従来から使用時における無駄な消費電力の削減が試みられており、通常、ＦＰＤでは、１日の始まりとともに、放射線画像検出器の電源をいれ、撮影時以外は、例えば撮影されてから作動する全ての部材に電圧を印加させた状態にある撮影待機モードで待機させており、患者の撮影がすぐに開始できるように終日稼動させた後に、電源を切るように構成されていた。その際、ＦＰＤでは、実際に撮影を行っている撮影モードと、実際に撮影を行っていないが、撮影モードより消費電力が少なく、迅速に撮影モードへの立ち上げが可能な撮影待機モードとの切り換えが行われており、各モードの切り換えは、特許文献３のようにＦＰＤ内にアダプタを持ち、当該アダプタの着脱により行わせていた。
【０００８】
その結果、ＦＰＤが、撮影に使用されていない撮影待機モードでは、待機時に不必要な部材への電圧の印加を行わないことにより消費電力を削減しつつ、電源をいれてから実際に撮影を行うことが可能な状態、すなわち撮影モードになるまでの時間を短縮させており、撮影待機モードにおける消費電力の削減によるＦＰＤの省電化と、撮影モードへの迅速な移行が図られていた。
【特許文献１】特開２００３−１９９７３６号公報
【特許文献２】特開２００３−２１０４４４号公報
【特許文献３】特開２００４−１４１４７３号公報
【発明の開示】
【発明が解決しようとする課題】
【０００９】
しかしながら、従来の撮影待機モードでは、撮影モードに比べると消費電力量が削減されたものではあるが、全く電源を入れていない状態に比べると、消費電力量は多くなってしまう。これは、特に１日に数回しか撮影を行わない場合では非常に不経済であり、省電力と呼ぶには不十分であった。
【００１０】
また、撮影モードにすぐに移行させるために、ＦＰＤの構成部材の多くに電圧を長時間印加させることで、フォトダイオードやＴＦＴ等は劣化し、感度の低下を生じさせてしまう。その結果、実際には撮影に使用されていないにも関わらずＦＰＤの寿命を縮めてしまうことになっていた。
【００１１】
また、撮影モードから撮影待機モードへの切り換えを、アダプタの着脱により行われており、操作者の手を煩わせていた。
【００１２】
このように、従来では、省電力化と、長寿命化と、切替え操作の簡易化とを両立させることができなかった。
【００１３】
そこで、本発明の課題は、放射線画像検出器において、切替え操作の簡易化を図りつつ、撮影待機モードにおける消費電力をさらに削減し、省電力化及び長寿命化を可能とする放射線画像検出器及び放射線画像検出システムを提供することを目的とする。
【課題を解決するための手段】
【００１４】
請求項１に記載の発明は、
照射された放射線を検出して放射線画像情報を取得する放射線画像検出器において、
外部機器と通信を行う通信部と、消費電力量の異なる複数の駆動モードを制御する状態制御部とを備え、
前記状態制御部は、前記外部機器から送信される指示信号に基づき前記複数の駆動モードを制御することを特徴とする。
【００１５】
請求項１に記載の発明によれば、照射された放射線を検出して放射線画像情報を取得する放射線画像検出器において、
外部機器と通信を行う通信部と、消費電力量の異なる複数の駆動モードを制御する状態制御部とを備え、
前記状態制御部は、前記外部機器から送信される指示信号に基づき前記複数の駆動モードを制御している。
したがって、状態制御部は、外部機器から送信される指示信号を検知し、検知された指示信号に基づき、消費電力量の異なる駆動モード間を遷移させることができる。
【００１６】
請求項２に記載の発明は、
請求項１に記載の放射線画像検出器において、
前記外部機器が複数存在することを特徴とする。
【００１７】
請求項２に記載の発明によれば、前記外部機器が複数存在するので、前記状態制御部は、異なる外部機器から送信された指示信号に基づき、駆動モードを制御することができる。
【００１８】
請求項３に記載の発明は、
請求項２に記載の放射線画像検出器において、
前記指示信号の同時受信時に、予め設定された前記外部機器からの前記指示信号を優先することを特徴とする。
【００１９】
請求項３に記載の発明によれば、
前記指示信号の同時受信時に、予め設定された前記外部機器からの前記指示信号を優先するので、複数の外部機器からの指示信号を同時に受信した場合、指示信号を優先させる外部機器を設定することができる。
【００２０】
請求項４に記載の発明は、
請求項３に記載の放射線画像検出器において、
前記予め設定された外部機器がコンソールであることを特徴とする。
【００２１】
請求項４に記載の発明によれば、
前記予め設定された外部機器がコンソールであるので、複数の外部機器からの指示信号を同時に受信した場合、指示信号を優先させる外部機器として予めコンソールに設定することができる。
【００２２】
請求項５に記載の発明は、
請求項３に記載の放射線画像検出器において、
前記予め設定された外部機器がホストコンピュータであることを特徴とする。
【００２３】
請求項５に記載の発明によれば、
前記予め設定された外部機器がホストコンピュータであるので、複数の外部機器からの指示信号を同時に受信した場合、指示信号を優先させる外部機器として予めホストコンピュータに設定することができる。
【００２４】
請求項６に記載の発明は、
請求項１から請求項５のいずれか一項に記載の放射線画像検出器において、
前記駆動モードは、撮影モードと、前記撮影モードより消費電力量が少ない撮影待機モードであることを特徴とする。
【００２５】
請求項６に記載の発明によれば、前記駆動モードは、撮影モードと、前記撮影モードより消費電力量が少ない撮影待機モードであるので、駆動モードは、撮影モードと撮影モードより消費電力の少ない撮影待機モードから構成される。
【００２６】
請求項７に記載の発明は、
請求項６に記載の放射線画像検出器において、
前記撮影待機モードは、消費電力量が異なる複数の待機モードを備えることを特徴とする。
【００２７】
請求項７に記載の発明によれば、前記撮影待機モードは、消費電力量が異なる複数の待機モードを備えるので、外部機器から送信される指示信号に基づき、撮影モードと複数の撮影待機モードを遷移させることができる。
【００２８】
請求項８に記載の発明は、照射された放射線を検出して放射線画像情報を取得する放射線画像検出器と、指示信号を送信する外部機器とを備えた放射線画像検出システムにおいて、
前記放射線画像検出器は、前記外部機器と通信を行う通信部と、消費電力量の異なる複数の駆動モードを制御する状態制御部とを備えるとともに、
前記状態制御部は、前記通信部を介して前記外部機器から送信された指示信号に基づき、前記複数の駆動モードを制御する放射線画像検出システムであることを特徴とする。
【００２９】
請求項８に記載の発明によれば、照射された放射線を検出して放射線画像情報を取得する放射線画像検出器と、指示信号を送信する外部機器とを備えた放射線画像検出システムにおいて、前記放射線画像検出器は、前記外部機器と通信を行う通信部と、消費電力量の異なる複数の駆動モードを制御する状態制御部とを備えるとともに、前記状態制御部は、前記通信部を介して前記外部機器から送信された指示信号に基づき、前記複数の駆動モードを制御するので、状態制御部は、外部機器から送信される指示信号を検知し、検知された指示信号に基づき、消費電力量の異なる駆動モード間を遷移させることができる放射線画像検出システムを構築することができる。
【発明の効果】
【００３０】
請求項１に記載の発明によれば、状態制御部は、外部機器から送信される指示信号を検知し、検知された指示信号に基づき、消費電力量の異なる駆動モード間を遷移させることができるので、操作者の手を煩わせることがなく、指示信号により駆動モードを遷移させることができ、切替え操作の簡易化を図ることができる。また、放射線画像検出器の全ての構成部材に電圧を印加した駆動モード（撮影モード）に対し、外部機器との通信に必要な部材にのみ電圧を印加させるような駆動モードを備えることで、従来の迅速に撮影モードに移行できる部材以外全ての構成部材に電圧を印加する駆動モード（通信に必要な部材を含め、放射線画像検出器を構成する他の部材に電圧を印加する駆動モード）より、消費電力を削減することができ、省電力化を図ることができる。その際、長時間電圧が印加されることで劣化する部材への電圧印加時間を短縮させることができるので、放射線画像検出器の長寿命化を図ることができる。
【００３１】
請求項２に記載の発明によれば、前記状態制御部は、異なる外部機器から送信された指示信号に基づき、駆動モードを制御することができるので、使用状況に応じて様々な外部機器から指示信号を送信することができ、操作性を向上させることができる。
【００３２】
請求項３に記載の発明によれば、複数の外部機器からの指示信号を同時に受信した場合、指示信号を優先させる外部機器を設定することができるので、複数の外部機器からの指示信号を同時に受信した場合、予め設定された外部機器から送信された指示信号を優先し、使用状況に応じた指示信号を優先させることができる
【００３３】
請求項４に記載の発明によれば、複数の外部機器からの指示信号を同時に受信した場合、指示信号を優先させる外部機器として予めコンソールに設定することができるので、指示信号を同時に受信した場合、コンソールから送信された指示信号を優先し、撮影中や撮影前後においてコンソールの近くにいることが多い操作者がコンソールから送信した指示信号を優先し、撮影状況に応じた指示信号を優先させることができる。
【００３４】
請求項５に記載の発明によれば、複数の外部機器からの指示信号を同時に受信した場合、指示信号を優先させる外部機器として予めホストコンピュータに設定することができるので、指示信号を同時に受信した場合、ホストコンピュータから送信された指示信号を優先することができる。例えばホストコンピュータは、コンソールを管理しており、コンソールの管理に関する規則に従った指示信号を送信する。この場合、コンソールが正常に動作していない場合では、ホストコンピュータは、撮影動作を行わず、放射線画像検出器を強制的に待機させるような指示信号を送信することができ、ホストコンピュータが管理する装置の管理状況に応じた指示信号を優先させることができる。
【００３５】
請求項６に記載の発明によれば、駆動モードは、撮影モードと撮影待機モードから構成されるので、画像転送時に外部機器から送信される指示信号に基づき、撮影モードと撮影待機モードを遷移させることができる。
【００３６】
請求項７に記載の発明によれば、外部機器から送信される指示信号に基づき、撮影モードと複数の撮影待機モードを遷移させることができるので、細目に撮影モードと複数の撮影待機モードを切り換えることで消費電力を削減することができ省電力化及び長寿命化を図ることができる。
【００３７】
請求項８に記載の発明によれば、状態制御部は、外部機器から送信される指示信号を検知し、検知された指示信号に基づき、消費電力量の異なる駆動モード間を遷移させることができる放射線画像検出システムを構築することができるので、切替え操作の簡易化を図りつつ、撮影待機モードにおける消費電力をさらに削減し、省電力化及び長寿命化を可能とする放射線画像検出システムとすることができる。
【発明を実施するための最良の形態】
【００３８】
〔第１実施形態〕
以下、図面を参照しながら本発明に係る放射線画像検出器及び放射線画像検出システムの実施形態について説明する。ただし、本発明は図示例のものに限定されるものではない。
【００３９】
図１は、本発明を適用した実施形態として例示する放射線画像検出システムの概略構成を示す図である。
図１に示すように、放射線画像検出システム１００は、病院内で行われる放射線画像撮影を想定しており、例えば撮影室内に設置され、被写体にＸ線等の放射線を照射して放射線画像を放射線画像検出器１にて取得することで放射線撮影を行う放射線画像撮影装置２と、放射線画像撮影に関する操作及び得られた放射線画像の表示と画像処理を行うコンソール３と、院内の放射線画像撮影の予約管理を行い、所定の撮影室の撮影予約が入るとコンソール３に撮影要求の指示を送信するホストコンピュータ４と、無線ＬＡＮ（Local Area Network）等の無線通信方式による通信を行うための図示しない基地局とを備え、これら装置どうしがネットワークＮを介して接続されている。ここで、ネットワークＮには、他の撮影室のコンソール５，５や放射線画像検出器６，６が接続されており、各放射線画像検出器で取得された放射線画像情報のやり取りをすることが可能になっている。また、ネットワークＮは、当該システム専用の通信回線であってもよいが、システム構成の自由度が低くなってしまう等の理由のため、イーサネット（Ethernet；登録商標）等の既存の回線である方が好ましい。
【００４０】
放射線画像撮影装置２は、放射線照射装置７及び放射線画像検出器１から構成されている。
放射線照射装置７は、ケーブルを介してコンソール３に接続されるとともに、放射線源８及び放射線源制御手段９を有しており、放射線源８は、コンソール３から指示された照射する放射線の特性（放射線源８にかける管電圧、管電流、照射時間等）に従って放射線源制御手段９により制御され、放射線を発生するように構成されている。
【００４１】
放射線画像検出器１は、放射線照射装置７から照射されて被写体Ｓを透過した放射線を検出して放射線画像を取得するようになっており、撮影を行う際には、放射線画像検出器１を放射線源８から放射線が照射される放射線照射範囲に設置された撮影台に装着するなどして使用する。
【００４２】
コンソール３は、操作者が撮影の指示をする操作部１０と、操作部１０からの指示に基づき放射線照射装置７を制御する撮像制御部１１と、放射線画像検出器１で得られた画像データに色調の補正などの画像処理を行う画像処理部１２と、画像処理がなされた画像データをハードディスク、光磁気ディスク等に記憶する画像記憶部１３と、操作者が撮影が適切に行われたか目視確認をするために放射線画像検出器１で得られた画像信号を基に画像を表示する表示部１４と、ネットワークＮに接続するＬＡＮボード１５と、これらコンソール３のシステムを制御するシステム制御部１６とが備えられている。
【００４３】
放射線画像検出器１は、発光層と、光電変換層と、駆動回路とを備えて放射線を検出する間接型フラットパネルディテクタである。以下、図２〜図７を用いて、放射線画像検出器１の構造について説明する。
【００４４】
図２（ａ）に示すように、放射線画像検出器１は、内部を保護する筐体２０を備えており、放射線画像検出器１はカセッテとして携帯可能に構成されている。
【００４５】
筐体２０の外部には、操作者がスイッチング操作をすることにより放射線画像検出器１の動作を切り換えるための操作部２１や、放射線画像の撮影準備の完了や内蔵されている画像記憶手段に所定量の画像信号が書き込まれたことを示す表示部２２（図３参照）が設けられている。
【００４６】
筐体２０の内部には、照射された放射線を電気信号に変換する撮像パネル２３が層を成して形成されている。図２（ｂ）に示すように、撮像パネル２３における放射線の照射面側には、入射された放射線の強度に応じて発光を行う発光層２３１が設けられている。ここで、発光層２３１には、例えば波長が１Å（１×１０-10ｍ）程度であって、人体や船舶、航空機の部材等を透過する電磁波である所謂Ｘ線が照射される。
【００４７】
発光層２３１は、蛍光体を主たる成分とするものであり、入射した放射線に基づいて、波長が３００ｎｍから８００ｎｍの電磁波、すなわち、可視光線を中心に紫外光から赤外光にわたる電磁波（光）を出力する。なお、発光層２３１は、一般的にシンチレータ層と呼ばれている。
【００４８】
この発光層２３１で用いられる蛍光体は、ＣａＷＯ４、ＣｄＷＯ４等を母体とするものや、ＣｓＩ：ＴｌやＧｄ2Ｏ2Ｓ：Ｔｂ、ＺｎＳ：Ａｇ等の母体内に発光中心物質が付活されたものを用いることができる。
また、希土類元素をＭとしたとき、（Ｇｄ，Ｍ，Ｅｕ）２Ｏ３の一般式で示される蛍光体を用いることができる。
【００４９】
特に、Ｘ線吸収及び発光効率が高いことよりＣｓＩ：ＴｌやＧｄ２Ｏ２Ｓ：Ｔｂが好ましく、これらを用いることで、ノイズの低い高画質の画像を得ることができる。
【００５０】
この発光層２３１の放射線が照射される側の面と反対側の面には、発光層から出力された電磁波（光）を電気エネルギーに変換して蓄積し、蓄積された電気エネルギーに基づく画像信号の出力を行う光電変換層２３２が形成されている。
【００５１】
光電変換層２３２は、電気エネルギーを生成し、画素毎に蓄える光電変換素子と、蓄えられた電気エネルギーを信号として出力するためのスイッチング素子であるトランジスタから形成されている。なお光電変換層２３２は、スイッチング素子を用いるものに限られるものではなく、例えば蓄えられた電気エネルギーのエネルギーレベルに応じた信号を生成して出力する構成とすることもできる。一般には、ガラス基板上に配されたアモルファスシリコンで形成される。
【００５２】
光電変換素子は、例えばフォトダイオード（ＰＤ）２３３が用いられるが、特に限定する必要はなく、その他の固体撮像素子（電荷結合型素子など）あるいは光電子倍増管のような素子であってもよい。
【００５３】
トランジスタは、例えば薄膜トランジスタ（ＴＦＴ）２３４が用いられる。このＴＦＴ２３４は、液晶ディスプレイ等に使用されている無機半導体系のものでも、有機半導体を用いたものでもよい。
【００５４】
この光電変換層２３２の発光層２３１側の面と反対側の面には、前記発光層２３１及び光電変換層２３２を支持する基板２３５が形成されている。
【００５５】
基板２３５上であって、光電変換層２３２の側方には、駆動回路が設けられており、駆動回路は、蓄積された電気エネルギーを画像信号として出力する走査駆動回路２３６と、照射された放射線の強度に応じて蓄積された電気エネルギーを読み出す信号読み出し回路２３７とから形成されている。
【００５６】
基板２３５の光電変換層２３２側の面と反対側の面には、放射線画像検出器１で行われる各種動作を制御する制御部２４設けられている。
【００５７】
ここで、撮像パネル２３の回路構成について説明する。図４は、光電変換層２３２を構成する１画素分の光電変換部の等価回路図である。
【００５８】
図４に示すように、１画素分の光電変換部の構成は、フォトダイオード２３３と、フォトダイオード２３３で蓄積された電気エネルギーをスイッチングにより電気信号として取り出すＴＦＴ２３４とから構成されている。取り出された電気信号は、増幅器２３８により信号読み出し回路２３７が検出可能なレベルにまで電気信号を増幅するようになっている。なお、増幅器２３８には、ＴＦＴ２３４とコンデンサで構成された図示しないリセット回路が接続されており、ＴＦＴ２３４にスイッチを入れることにより蓄積された電気信号をリセットするリセット動作が行われるようになっている。また、フォトダイオード２３３は、単に寄生キャパシタンスを有したものでもよいし、フォトダイオード２３３と光電変換部のダイナミックレンジを改良するように追加コンデンサを並列に含んでいるものでもよい。
【００５９】
図５は、このような光電変換部を二次元に配列した等価回路図であり、画素間には、走査線Ｌｌと信号線Ｌｒが直交するように配設されている。前述のフォトダイオード２３３には、ＴＦＴ２３４が接続されており、ＴＦＴ２３４が接続されている側のフォトダイオード２３３の一端は信号線Ｌｒに接続されている。一方、フォトダイオード２３３の他端は、各行に配された隣接するフォトダイオード２３３の一端と接続されて共通のバイアス線Ｌｂを通じてバイアス電源２３９に接続されている。このバイアス電源２３９の一端は制御部２４に接続され、制御部２４からの指示によりバイアス線Ｌｂを通じてフォトダイオード２３３に電圧がかかるようになっている。また各行に配されたＴＦＴ２３４は、共通の走査線Ｌｌに接続されており、走査線Ｌｌは走査駆動回路２３６を介して制御部２４に接続されている。同様に、各列に配されたフォトダイオード２３３は、共通の信号線Ｌｒに接続されて制御部２４に制御される信号読み出し回路２３７に接続されている。信号読み出し回路２３７には、撮像パネル２３から近い順に、増幅器２３８、サンプルホールド回路２４０、アナログマルチプレクサ２４１、Ａ／Ｄ変換機２４２が共通の信号線Ｌｒ上に配されている。
【００６０】
このような回路構成を備える制御部２４には、図３に示すように、前述した操作部２１、走査駆動回路２３６、信号読み出し回路２３７が接続される他、後述するバッテリ２５、画像記憶部２６、通信部２８、状態制御部２９が接続されている。
【００６１】
制御部２４の基板２３５側の面と反対側の面には、放射線画像検出器１を構成する各部位に電力を供給する電力供給源としてプレート状のバッテリ２５が設けられている。バッテリ２５は、例えばマンガン電池、ニッケル・カドミウム電池、水銀電池、鉛電池などの一次電池、充電可能な二次電池が適用可能である他、筐体２０の側部から引き出して交換可能になっている。
【００６２】
この他、筐体２０の内部には、記憶手段としてフラッシュメモリなどの書き換え可能な読み出し専用メモリ等を用いて撮像パネル２３から出力された画像信号を記憶する画像記憶手段としての画像記憶部２６と、ネットワークＮ上に接続された外部機器と各種通信信号を送受信して通信を行う通信部２８と、放射線画像検出器１の複数の駆動モードを制御する状態制御部２９とが備えられている。
【００６３】
通信部２８では、外部機器から送信される指示信号や、撮影開始信号、放射線照射開始信号、放射線照射終了信号を受信し、放射線画像検出器１を構成する各部材に転送するようになっており、転送先の各部材では、これら信号に基づき放射線画像検出器１の動作を制御するように構成されている。外部機器としては、放射線源８やコンソール３，５、ホストコンピュータ４、ネットワークＮ上に接続されるプリンタ（図示せず。）などの各種機器が挙げられるが、好ましくはコンソール３，５及びホストコンピュータ４である。
【００６４】
例えば、通信部２８では、外部機器から送信される指示信号を受信し、後述する状態制御部２９に転送する他、撮影開始信号、放射線照射開始信号、放射線照射終了信号を受信し、制御部２４に転送するようになっている。また、通信部２８では、撮像パネル２３から出力された画像信号を外部機器へ転送するようになっている。ここで、指示信号とは、複数の駆動モード間を遷移させる信号を表しており、以下の記載では、コンソール３を外部機器として使用した場合について説明を行う。
【００６５】
ここで、指示信号の受信により遷移される駆動モードについて説明する。
本実施形態の放射線画像検出器１では、主電源のＯＮ／ＯＦＦが、１日周期で行われており、例えば、放射線源８のテスト動作時に、放射線画像検出器１の電源を投入し、その後、患者等の被写体が訪れる可能性のある間、電源は投入された状態が維持され、その日の放射線撮影が終了する時に電源を遮断するように構成されている。放射線画像検出器１に電源が投入されている間、放射線画像検出器１の駆動状態（駆動モード）は、撮影を行っている状態（撮影モード）と、撮影モードよりも消費電力の少ない撮影を待機している状態（撮影待機モード）とを遷移するように構成されており、主電源がＯＮになると、自動的に撮影待機モードに遷移するように構成されている。
【００６６】
撮影モードは、放射線画像検出器１を構成する部材のうち、撮影に必要な全ての部材が稼動している、すなわち、放射線画像検出器１を構成する部材のうち、撮影に必要な全ての部材に電圧が印加されている状態にあり、一連の撮影動作である初期化、放射線の照射、電気信号の読み取り、画像信号の転送が行われるように構成されている。なお、初期化では、撮像パネル２３におけるリセット動作及び空読み動作が行われるようになっている。
【００６７】
例えば、撮影モードでは、図６に示すように撮影時に必要な部材である信号読み出し回路２３７、走査駆動回路２３６、フォトダイオード２３３、ＴＦＴ２３４、画像記憶部２６、通信部２８に対して電圧を印加するように構成されているのに対し、撮影待機モードでは、画像記憶部２６及び通信部２８に対してのみ電圧を印加した状態として構成されており、通信を行うのに不必要な部材への電圧印加を省いて消費電力の削減を試みている。
【００６８】
あるいは、撮影待機モードを、少なくとも撮影モードへの迅速な立ち上げが可能な構成部材に対しては電圧を印加しない構成とし、例えば図７に示すような信号読み出し回路２３７を除いて全ての部分を立ち上げた状態として構成してもよい。この場合では、消費電力を削減しつつ、迅速に撮影待機モードから撮影モードに遷移させて速やかに撮影を開始させることができ、繰り返し撮影を行う場合には特に効果を発揮する。
【００６９】
状態制御部２９は、指示信号を常に受信しているかチェックするように構成されており、通信部２８を介してコンソール３から送信された指示信号を基に検知された状態指示情報に基づき、駆動モードの遷移を行うようになっている。ここで、状態指示情報とは、駆動モードの遷移あるいは維持を指示する情報であり、ここでは、撮影待機モードから撮影モードへの遷移及び撮影待機モードの維持、撮影モードから撮影待機モードへの遷移、撮影モードの維持を指示する情報を表している。
【００７０】
例えば、状態制御部２９は、撮影待機モードでは、通信部２８を介して指示信号を常に受信しているか検知するように構成されており、指示信号を受信すると、指示信号に基づき撮影待機モードから撮影モードへの遷移及び撮影待機モードの維持を行うように構成されている。
【００７１】
また、状態制御部２９は、撮影モードでは、通信部２８を介して指示信号を常に受信しているか検知するように構成されており、指示信号を受信すると、指示信号に基づき撮影モードから撮影待機モードへの遷移、撮影モードの維持を行うように構成されている。
【００７２】
また、状態制御部２９では、指示信号を受信すると、コンソール３から放射線画像検出器１に指示信号の送信が正常に行われていることを示す情報として、通信部２８を介して受け取り信号を送信するようになっている。
【００７３】
コンソール３は、受け取り信号を受信することで指示信号が正常に行われたことを確認するが、指示信号を送信しても受け取り信号の受信が所定時間内に検知されない場合には、指示信号が正常に送信されなかったと判断し、自動的に再送信するか、あるいは、表示部１４に表示し、操作部１０からの操作による再送信を行わせるようになっている。
【００７４】
また、コンソール３では、コンソール３に受け取り信号の受信が検知されなくなってから所定時間が経過すると、放射線画像検出器１に撮影モードから撮影待機モードへ遷移する指示信号が送信されるように構成されている。
【００７５】
また、撮影モードにおいて、放射線画像検出器１に印加される電圧が安定し、撮影動作が開始できる状態であることを検知すると、コンソール３は撮影動作を開始する撮影開始信号を放射線画像検出器１に対して送信する他、撮影開始信号を送信してから所定時間後、放射線照射の開始及び終了を示す放射線照射開始信号及び放射線照射終了信号を送信するようになっている。
【００７６】
上述した指示信号に基づき撮影モードへ遷移した後に行われる撮影動作において、放射線画像検出器１では、まず、信号読み出し回路２３７でリセット動作と空読み動作が行われ後に、放射線照射開始信号が受信されて放射線が照射されるようになっており、フォトダイオード２３３では放射線量に応じて電気信号が発生して蓄積されるようになっている。そして、放射線照射後、放射線照射終了信号が受信されると、走査駆動回路２３６により走査線Ｌｌが選択され、選択された走査線Ｌｌ上のＴＦＴ２３４がスイッチングされて、フォトダイオード２３３に蓄積された電気信号が導通し、信号読み出し回路２３７に送られて増幅された後、デジタル信号へ変換されるようになっている。そして、制御部２４はこのデジタル信号を画像信号として画像記憶部２６に一旦保持した後、通信部２７によりコンソール３に送信させるようになっている。
【００７７】
次に、この放射線画像検出システム１００の動作について説明する。
図８に示すように、放射線画像検出器１の主電源がＯＮになると（ステップＳ１）、自動的に撮影待機モードに移行する（ステップＳ２）。
【００７８】
撮影待機モードでは、常に画像記憶部２６、通信部２８を立ち上げており、状態制御部２９は通信部２８に指示信号が受信されていないか常に検知している（ステップＳ３）。
【００７９】
そして、コンソール３が撮影待機モードから撮影モードに遷移させる指示信号を送信し（ステップＳ４）、この指示信号が通信部２８で受信されると（ステップＳ３；ｙｅｓ）、通信部２８は、状態制御部２９に指示信号を転送する。状態制御部２９は、コンソール３に受け取り信号を送信すると同時に、指示信号に基づき、駆動モードを撮影モードに切り換える（ステップＳ５）。
【００８０】
このとき、コンソール３では、所定時間受け取り信号の受信を検知するようになっており（ステップＳ６）、受け取り信号の受信が検知されると（ステップＳ６；ｙｅｓ）、指示信号が放射線画像検出器１に正常に送信されたと判断し、そのまま受け取り信号の受信の検知を維持し続ける。
【００８１】
そして、放射線画像検出器１で撮影開始信号が受信されると（ステップＳ７）、制御部２４は、初期化を行った後（ステップＳ８）、放射線照射開始信号を受信して（ステップＳ９）、放射線照射を行う。放射線照射が終了し、放射線照射終了信号が受信されると（ステップＳ１０）、制御部２４は駆動回路の駆動により電気信号の読み取りを行わせ（ステップＳ１１）、読み取られた画像信号は、画像記憶部２６に保存させるとともに、コンソール３へ送信させる（ステップＳ１２）。
【００８２】
このとき、コンソール３では、ホストコンピュータ４から送信される撮影要求のリストがすべて終了しているかチェックしており（ステップＳ１３）、撮影要求のリストがすべて終了したことを確認すると（ステップＳ１３；ｙｅｓ）、放射線画像検出器１からの受け取り信号の受信が検知されなくなってから所定時間が経過しているかを検知し（ステップＳ１４）、受け取り信号の受信が検知されなくなってから所定時間が経過したことを確認して（ステップＳ１４；ｙｅｓ）、放射線画像検出器１に撮影モードから撮影待機モードへ遷移させる指示信号を送信する（ステップＳ１５）。
そして、放射線画像検出器１の状態制御部２９は、通信部２８を介してコンソール３からの指示信号を検知し（ステップＳ１６）、撮影モードから撮影待機モードへ駆動モードを遷移させ、ステップＳ２以降の動作が繰り返される。
【００８３】
なお、ステップＳ３で、撮影待機モードから撮影モードに遷移させる指示信号が通信部２８で受信されない場合には（ステップＳ３；ｎｏ）、駆動モードを撮影待機モードに維持して、ステップＳ２以降の動作が繰り返される。
【００８４】
また、ステップＳ４で、コンソール３が撮影待機モードを維持させる指示信号を送信し、ステップＳ３で、撮影待機モードを維持させる指示信号が通信部２８で受信された場合には、通信部２８は、状態制御部２９に指示信号を転送する。状態制御部２９は、コンソール３に受け取り信号を送信すると同時に、指示信号に基づき、駆動モードを撮影待機モードに維持して、ステップＳ２以降の動作が繰り返される。
【００８５】
また、ステップＳ６で、コンソール３において受け取り信号の受信が検知されないと判断されると（ステップＳ６；ｎｏ）、再び放射線画像検出器１に指示信号を送信し（ステップＳ４）、ステップＳ４以降の動作が繰り返される。
【００８６】
また、ステップＳ１３で、ホストコンピュータ４から送信される撮影要求のリストがすべて終了したことが確認されないと（ステップＳ１３；ｎｏ）、コンソール３は、放射線画像検出器１に撮影モードのまま維持させる指示信号を送信する（ステップＳ１７）。
そして、放射線画像検出器１の状態制御部２９は、通信部２８を介してコンソール３からの指示信号を検知し（ステップＳ１８）、撮影モードを維持させ、ステップＳ５以降の動作が繰り返される。
【００８７】
以上のように、本実施形態の放射線画像検出器１では、消費電力の異なる２つの駆動モードを備え、画像転送する際に、コンソール３から送信される指示信号を検知し、検知された通信状態情報を基に、転送後に駆動させる駆動モードを判断してその駆動モードとなるように状態を制御することができるので、消費電力量の削減し、省電力化を図ることができる。
【００８８】
その際、撮影待機モードでは、放射線画像検出器１を構成する多くの部材に電圧を印加せず、消費電力を削減することができ、省電力化を図ることができるとともに、長時間電圧が印加されることにより、劣化しやすいフォトダイオード及びＴＦＴへの電圧印加時間を短縮させることができるので、放射線画像検出器１の長寿命化を可能とすることができる。
【００８９】
したがって、放射線画像検出システム１００では、切替え操作を簡易化させながらも撮影待機モードにおける消費電力の削減し、省電力化及び長寿命化を図ることが可能となる。
【００９０】
なお、本実施形態では、外部機器をコンソール３とし、１つの外部機器からの指示信号に基づき、状態制御部２９に駆動モードの遷移を行わせたが、複数の外部機器、例えば、コンソール３とホストコンピュータ４の両方からの指示信号に基づき、状態制御部２９に駆動モードの遷移を行わせる構成としてもよい。つまり、状態制御部２９は、ネットワークＮ上に接続されている全ての外部機器から指示信号の受信を検知することができる。
【００９１】
この場合において、１つの放射線画像検出器１に対して、複数の外部機器から同時に指示信号が送信されることで、放射線画像検出器１は複数の指示信号を同時に受信する可能性があるが、予め、放射線画像検出器１の操作部２１において指示信号の同時受信時に優先させる外部機器を設定しておくことで指示信号の同時受信時の駆動モードの遷移を行わせればよい。
【００９２】
例えば、予め優先させる外部機器をコンソール３と設定した場合には、状態制御部２９は、コンソール３からの指示信号を優先し、予め優先させる外部機器をホストコンピュータ４と設定した場合には、状態制御部２９は、ホストコンピュータ４からの指示信号を優先するように構成させる。
【００９３】
コンソール３からの指示信号を優先させた場合には、撮影中や撮影前後においてコンソールの近くにいることが多い操作者がコンソールから送信した指示信号を優先し、撮影状況に応じた指示信号を優先させることができる。
【００９４】
一方、ホストコンピュータ４からの指示信号を優先させた場合には、ホストコンピュータ４は、コンソールの管理に関する規則に従った指示信号を送信し、例えば、コンソールが正常に動作していない場合、撮影動作を行わず、放射線画像検出器を強制的に待機させるような指示信号を送信し、ホストコンピュータが管理する装置の管理状況に応じた指示信号を優先させることができる。
【００９５】
このような構成とすることで、使用状況に応じて様々な外部機器から指示信号を送信することができ、操作性をさらに向上させることができる。
【００９６】
また、本実施形態では、放射線画像検出器１と、コンソール３との通信を無線通信方式としたが、ケーブルを介した有線通信方式であってもよい。
【００９７】
また、通信部２８を外部機器へ各種信号を送信する送信部及び外部機器からの各種信号を受信する受信部として別体に構成するなど、送信部及び受信部への電力供給をそれぞれ切り離して行ってもよい。その場合には、撮影待機モードは送信部及び受信部のうち少なくともどちらか一方へ電圧を印加した状態とすることが好ましい。
【００９８】
〔第２実施形態〕
次に、第２実施形態について説明する。第２実施形態では、複数の撮影待機モードを駆動させる場合について、図９又は図１０を参照して説明する。なお、第１実施形態と同様の箇所の説明は省略する。
【００９９】
まず、撮影待機モードについて説明する。
本実施形態における撮影待機モードは、撮影モードよりも消費電力の少ない２つの待機モードから構成されており、撮影モードに先駆けて、光電変換層２３２に一定時間電圧を印加し、溜まった残留電荷を取り除く動作を行う第１の待機モードと、第１の待機モードより消費電力の少ない第２の待機モードとから構成されている。すなわち、第１の待機モードは、すぐに撮影を行う可能性が高い状態にある撮影待機モードであり、第２の待機モードは、すぐに撮影を行う可能性が低い状態にある撮影待機モードである。
【０１００】
例えば、図９に示すように、撮影モードでは、信号読み出し回路２３７、走査駆動回路２３６、フォトダイオード２３３、ＴＦＴ２３４、画像記憶部２６、通信部２７、通信部２８と放射線画像検出器１を構成する全ての構成部材に電圧が印加されるように構成されているのに対し、撮影待機モードでは、少なくとも信号読み出し回路に電圧を印加しない構成とし、撮影モードへの迅速な立ち上げが可能な信号読み出し回路２３７を除いて全ての部分を立ち上げた状態である第１の待機モードと、少なくとも光電変換部に電圧を印加しない状態とし、画像保存や外部への転送、外部からの信号受信に関わる部分である画像記憶部２６、通信部２８のみを立ち上げた状態である第２の待機モードとから構成することが可能である。
【０１０１】
本実施形態の状態制御部２９は、指示信号を基に検知される状態指示情報に基づき複数の駆動モードを制御するようになっており、前述した撮影待機モードと撮影モード間の状態遷移あるいは維持に加え、撮影待機モード間の状態遷移あるいは維持を行うように構成されている。つまり、本実施形態の状態指示情報は、第２の待機モードから第１の待機モードへの遷移、及び、第２の待機モードの維持、第１の待機モードから撮影モードへの遷移、第１の待機モードの維持、撮影モードから第１の待機モードへの遷移、撮影モードから第２の待機モードへの遷移とから構成されている。
【０１０２】
例えば、状態制御部２９は、第２の待機モードでは、通信部２８を介して指示信号を常に受信しているか検知するように構成されており、指示信号を受信すると、指示信号に基づき第２の待機モードから第１の待機モードへの遷移、及び、第２の待機モードの維持を行うように構成されている。
【０１０３】
また、状態制御部２９は、第１の待機モードでは、通信部２８を介して指示信号を常に受信しているか検知するように構成されており、指示信号を受信すると、指示信号に基づき第１の待機モードから撮影モードへの遷移、及び、第１の待機モードの維持を行うように構成されている。
【０１０４】
また、状態制御部２９は、撮影モードでは、通信部２８を介して指示信号を常に受信しているか検知するように構成されており、指示信号を受信すると、指示信号に基づき撮影モードから第１の待機モードへの遷移、及び、撮影モードから第２の待機モードへの遷移を行うように構成されている。
【０１０５】
なお、放射線画像検出器１では、主電源がＯＮになると、自動的に第２の待機モードに遷移し、画像記憶部２６、通信部２７、通信部２８に電圧を印加するように構成されている。
【０１０６】
次に、このような状態制御部２９を備えた放射線画像検出システム１００の動作について説明する。
【０１０７】
図１０に示すように、放射線画像検出器１の主電源がＯＮになると（ステップＳ２１）、自動的に第２の待機モードに移行する（ステップＳ２２）。
【０１０８】
第２の待機モードでは、常に画像記憶部２６、通信部２８を立ち上げており、状態制御部２９は通信部２８に指示信号が受信されていないか常に検知している（ステップＳ２３）。
【０１０９】
そして、コンソール３から第２の待機モードから第１の待機モードに遷移させる指示信号を送信し（ステップＳ２４）、この指示信号が通信部２８で受信されると（ステップＳ２３；ｙｅｓ）、通信部２８は、状態制御部２９に指示信号を転送する。状態制御部２９は、コンソール３に受け取り信号を送信すると同時に、指示信号に基づき、駆動モードを第１の待機モードに切り換える（ステップＳ２５）。
【０１１０】
このとき、コンソール３では、所定時間受け取り信号の受信を検知するようになっており（ステップＳ２６）、受け取り信号の受信が検知されると（ステップＳ２６；ｙｅｓ）、指示信号が放射線画像検出器１に正常に送信されたと判断し、そのまま受け取り信号の受信の検知を維持し続ける。
【０１１１】
そして、第１の待機モードでは、状態制御部２９は、通信部２８に指示信号が受信されていないか常に検知している（ステップＳ２７）。
【０１１２】
そして、コンソール３から第１の待機モードから撮影モードに遷移させる指示信号を送信し（ステップＳ２８）、指示信号が通信部２８に受信されると（ステップＳ２７；ｙｅｓ）、状態制御部２９は、コンソール３に受け取り信号を送信すると同時に、指示信号に基づき、駆動モードを撮影モードに切り換える（ステップＳ２９）。
【０１１３】
このとき、コンソール３では、所定時間受け取り信号の受信を検知するようになっており（ステップＳ３０）、受け取り信号の受信が検知されると（ステップＳ３０；ｙｅｓ）、指示信号が放射線画像検出器１に正常に送信されたと判断し、そのまま受け取り信号の受信の検知を維持し続ける。
【０１１４】
そして、放射線画像検出器１で撮影開始信号が受信されると（ステップＳ３１）、制御部２４は、初期化を行った後（ステップＳ３２）、放射線照射開始信号を受信して（ステップＳ３３）、放射線照射を行う。放射線照射が終了し、放射線照射終了信号が受信されると（ステップＳ３４）、制御部２４は駆動回路の駆動により電気信号の読み取りを行わせ（ステップＳ３５）、読み取られた画像信号は、画像記憶部２６に保存させるとともに、コンソール３へ送信させる（ステップＳ３６）。
【０１１５】
このとき、コンソール３では、ホストコンピュータ４から送信される撮影要求のリストがすべて終了しているかチェックしており（ステップＳ３７）、撮影要求のリストがすべて終了したことを確認すると（ステップＳ３７；ｙｅｓ）、放射線画像検出器１からの受け取り信号の受信が検知されなくなってから所定時間が経過しているかを検知し（ステップＳ３８）、受け取り信号の受信が検知されなくなってから所定時間が経過したことを確認して（ステップＳ３８；ｙｅｓ）、放射線画像検出器１に撮影モードから第２の待機モードへ遷移させる指示信号を送信する（ステップＳ３９）。
【０１１６】
そして、放射線画像検出器１の状態制御部２９は、通信部２８を介してコンソール３からの指示信号を検知し（ステップＳ４０）、撮影モードから第２の待機モードへ駆動モードを遷移させ、ステップＳ２２以降の動作が繰り返される。
【０１１７】
なお、ステップＳ２３で、第２の待機モードから第１の待機モードに遷移させる指示信号が通信部２８で受信されない場合には（ステップＳ２３；ｎｏ）、駆動モードを第２の待機モードに維持して、ステップＳ２２以降の動作が繰り返される。
【０１１８】
また、ステップＳ２４で、コンソール３が第２の待機モードを維持させる指示信号を送信し、ステップＳ２３で第２の待機モードを維持させる指示信号が通信部２８で受信された場合には、通信部２８は、状態制御部２９にこの指示信号を転送する。状態制御部２９は、指示信号に基づき、駆動モードを第２の待機モードに維持したまま、コンソール３に受け取り信号を送信して、ステップＳ２２以降の動作が繰り返される。
【０１１９】
また、ステップＳ２６で、受け取り信号の受信が検知されないと判断されると（ステップＳ２６；ｎｏ）、再び放射線画像検出器１に指示信号を送信し（ステップＳ２４）、ステップＳ２４以降の動作が繰り返される。
【０１２０】
また、ステップＳ２７で、第１の待機モードから撮影モードに遷移させる指示信号が通信部２８で受信されない場合には（ステップＳ２７；ｎｏ）、駆動モードを第１の待機モードに維持して、ステップＳ２５以降の動作が繰り返される。
【０１２１】
また、ステップＳ２８で、コンソール３が第１の待機モードを維持させる指示信号を送信し、ステップＳ２７で、第１の待機モードを維持させる指示信号が通信部２８で受信された場合には、通信部２８は、状態制御部２９にこの指示信号を転送する。状態制御部２９は、指示信号に基づき、駆動モードを第１の待機モードに維持したまま、コンソール３に受け取り信号を送信して、ステップＳ２５以降の動作が繰り返される。
【０１２２】
また、ステップＳ３０で、受け取り信号の受信が検知されないと判断されると（ステップＳ３０；ｎｏ）、再び放射線画像検出器１に指示信号を送信し、ステップＳ３０以降の動作が繰り返される。
【０１２３】
また、ステップＳ３７で、ホストコンピュータ４から送信される撮影要求のリストがすべて終了したことが確認されないと（ステップＳ３７；ｎｏ）、コンソール３は、放射線画像検出器１に撮影モードから第１の待機モードへ遷移させる指示信号を送信する（ステップＳ４１）。
【０１２４】
そして、放射線画像検出器１の状態制御部２９は、通信部２８を介してコンソール３からの指示信号を検知し（ステップＳ４２）、撮影モードから第１の待機モードへ駆動モードを遷移させ、ステップＳ２５以降の動作が繰り返される。
【０１２５】
以上のように、本実施形態の放射線画像検出器１では、消費電力の異なる２つの撮影待機モード（第１の待機モード及び第２の待機モード）を備えることで、撮影待機モードにおいてさらに消費電力量の削減し、省電力化を図ることができる。
【０１２６】
その際、第１の待機モードでは、安定化に時間のかからない部材である信号読み出し回路のみに電圧を印加させないので、迅速に撮影モードに移行して、速やかに撮影を開始することができ、繰り返し撮影に対応させることができる。
【０１２７】
また、第２の待機モードでは、光電変換層２３２に長時間電圧を印加することもないので、光電変換層２３２の劣化を防ぐことができ、放射線画像検出器１の長寿命化を図ることもできる。
【０１２８】
なお、本実施形態では、画像転送後に駆動される駆動モードを第１の待機モードと第２の待機モードとしたが、コンソール３からの指示信号に基づき、第１の待機モードと撮影モードの組み合わせや第２の待機モードと撮影モードの組み合わせとする構成であっても構わない。また、コンソール３からの指示信号に基づき、第２の待機モードから直接撮影モードに遷移させる構成としても構わない。
【図面の簡単な説明】
【０１２９】
【図１】本発明の第１実施形態における放射線画像検出システムの概要構成図である。
【図２】図２（ａ）は、放射線画像検出器の構造を示す斜視図であり、図２（ｂ）は、図２（ａ）で囲まれた部分の放射線画像検出器の断面図である。
【図３】コンソールから指示信号が送られる時の放射線画像検出器の制御構成図である。
【図４】光電変換層を構成する光電変換部の１画素分の等価回路構成図である。
【図５】図３の光電変換部を二次元に配列した等価回路構成図である。
【図６】駆動モードの具体例を示す図である。
【図７】駆動モードの具体例を示す図である。
【図８】放射線画像検出システムの動作を示すフローチャートである。
【図９】第２実施形態における駆動モードの具体例を示す図である。
【図１０】図９の放射線画像検出システムの動作を示すフローチャートである。
【符号の説明】
【０１３０】
１  放射線画像検出器
３  コンソール
４  ホストコンピュータ
８  放射線源
９  放射線源制御手段
１０  操作部
１１  撮像制御部
１２  画像処理部
１３  画像記憶部
１４  表示部
１５  ＬＡＮボード
１６  システム制御部
２０  筐体
２１  操作部
２２  表示部
２３  撮像パネル
２４  制御部
２５  バッテリ
２６  画像記憶部
２８  通信部
２９  状態制御部
１００  放射線画像検出システム
２３１  発光層
２３２  光電変換層
２３３  フォトダイオード
２３４  ＴＦＴ
２３５  基板
２３６  走査駆動回路
２３７  信号読み出し回路
２３８  増幅器
２３９  バイアス電源
２４０  サンプルホールド回路
２４１  アナログマルチプレクサ
２４２  Ａ／Ｄ変換機
Ｌｌ  走査線
Ｌｒ  信号線
Ｌｂ  バイアス線
Ｎ  ネットワーク
【図１】
2006208301.tif 000003
【図２】
2006208301.tif 000004
【図３】
2006208301.tif 000005
【図４】
2006208301.tif 000006
【図５】
2006208301.tif 000007
【図６】
2006208301.tif 000008
【図７】
2006208301.tif 000009
【図８】
2006208301.tif 000010
【図９】
2006208301.tif 000011
【図１０】
2006208301.tif 000012